(57)【要約】【課題】交点にある壁の第一の方向の壁と第二の方向の壁を簡単に、しかも、強固に接合することのできる木造建物用接合材と、この木造建物用接合材を使用した壁の接合構造を提供する。【解決手段】枠組壁工法で建てられた木造建物の壁の厚み又は壁の枠組材の幅より大きな幅を有する木製の板材から切り出した継ぎ目のない２方向に延びる壁の厚み又は壁の枠組材の幅と略同じ幅を有する第一接合部７１と第二接合部７２からなる木造建物用接合材７。【選択図】　図４
2004137799.tif 000002
【特許請求の範囲】
【請求項１】
枠組壁工法で建てられた木造建物の壁の厚み又は壁の枠組材の幅より大きな幅を有する木製の板材から切り出された継ぎ目のない２方向に伸びる壁の厚み又は壁の枠組材の幅と略同じ幅を有する第一接合部と第二接合部からなることを特徴とする木造建築用接合材。
【請求項２】
前記第一接合部と第二接合部で形成される角部の縁が滑らかな曲線になされていることを特徴とする請求項１記載の木造建築用接合材。
【請求項３】
枠組壁工法で建てられた木造建物における壁の接合構造であって、請求項１又は２記載の木造建物用接合材が、第一接合部と第二接合部をそれぞれ第一の方向の壁の上端面と、この第一の方向の壁に交差する位置にある第二の方向の壁の上端面とに載置させた状態に、取り付けられて、この木造建物用接合材で第一の方向の壁と第二の方向の壁が接合されていることを特徴とする壁の接合構造。
【発明の詳細な説明】
【０００１】
【発明の属する技術分野】
本発明は、枠組壁工法の壁を接合するために使用する木造建築用接合材及びこの木造建築用接合材で壁が接合された壁の接合構造に関する。
特に、枠組壁工法の壁パネルを接合するために使用するのに好適な木造建築用接合材及びこの木造建築用接合材で壁パネルを接合する構造に好適な壁の接合構造に関する。
【０００２】
【従来の技術】
特許文献１に示される一般にツーバイフォー工法といわれている枠組壁工法で建てられた木造建築物は、枠組材を組み立てて骨格を形成し、この骨格に床面材、壁面材、天井面材等を取り付けたり、屋根を設けるだけで建物を建てることができ、施工し易いので、広く採用されている。
この枠組壁工法で建てられた木造建築物の壁は、枠組材を枠に組み立て、この枠の片面または両面に壁面材を取り付けた耐力壁となっていて、この耐力壁で建物の荷重を支えるものである。
【０００３】
この耐力壁の上側の枠には必ず接合部があり、この部分が破壊され易いし、上側枠には大きな力が加わるので、一般に、非特許文献１に記載されているように、耐力壁の上端面に一直線状の枠組材である頭つなぎが取り付けられている。
この際の頭つなぎには、壁厚み又は枠の幅と略等しい枠組材が使用されている。
【０００４】
この枠組壁工法の施工方法を更に施工し易くするために、壁や床や天井等を予めパネル化して、このパネルを組み立てるだけで建物になす施工方法が行われている。例えば、特許文献２には、予め壁パネルを製造していて、複数個の壁パネルの上端面に一直線状の枠組材である頭つなぎを載せた状態に架け渡して取り付け、この頭つなぎで壁パネルを接合する施工方法が記載されている。
この特許文献２に記載されている壁パネルを使用する枠組壁工法では、壁パネルを製造していて、この壁パネルの複数個の壁パネルの上端面に頭つなぎを架け渡して取り付けるだけで、複数の壁パネルを接合して壁とすることができるので、極めて便利である。
【０００５】
【特許文献１】
特公平６−７４６０６号公報
【特許文献２】
特公平６−７４６０５号公報
【非特許文献１】
枠組工法住宅工事共通仕様書４．９．３
【０００６】
【発明が解決しようとする課題】
しかし、耐力壁や壁パネル等の壁は、略一直線状に並んだ部分だけでなく、角部や内壁パネルと間仕切り壁パネルとの接合部分のように、壁がＬ字形やＴ字形や＋字形になっている場所があり、このＬ字形やＴ字形や＋字形になっている壁を接合する必要があるが、上記特許文献２に記載されている方法だけでは、かかる壁を一直線状の木材である頭つなぎで繋ぐことができない。
【０００７】
従来、このＬ字形やＴ字形や＋字形の交点にある耐力壁の上端面に頭つなぎを取り付ける方法としては、非特許文献１の４．９−２図に示されている方法が行われている。
この方法を図６を参照しながら説明する。
図６（イ）には、Ｌ字形の交点にある耐力壁１１０、１２０の上端面に頭つなぎ２１０、２２０を取り付けた状態が示されている。又、図６（ロ）には、Ｔ字形に接合する耐力壁５１０、５２０の上端面に頭つなぎ６１０、６２０を取り付けた状態が示されている。
【０００８】
この図６から判るように、従来の交点にある耐力壁の上端面に頭つなぎを取り付ける方法は、交点にある壁の上端面に取り付けられた一方の頭つなぎ２１０、６１０を勝ちの状態にしていた。
しかし、この方法では耐力壁１１０と１２０や耐力壁５１０と５２０を十分強固に接合できず、一方の壁（例えば、耐力壁１１０や５１０）に人が凭れたりすると、耐力壁が倒れる方向に移動し易いという問題がある。
【０００９】
この問題を解決するためには、一方の耐力壁１１０や５１０の横面から他方の耐力壁に釘を打ち込んで固定してみたが、強固に接合できないし、施工し難い。この問題は枠組壁工法で建てられた木造建物に使用される壁パネルにおいても同じである。
そこで、本発明の目的は、交点にある壁の一方の壁と他方の壁を簡単に、しかも、強固に接合することのできる木造建物用接合材と、この木造建物用接合材を使用した壁の接合構造を提供することである。
【００１０】
【課題を解決するための手段】
本発明は上記目的を達成するためになしたものであって、請求項１記載の発明は、枠組壁工法で建てられた木造建物の壁の厚み又は壁の枠組材の幅より大きな幅を有する木製の板材から切り出された継ぎ目のない２方向に伸びる壁の厚み又は壁の枠組材の幅と略同じ幅を有する第一接合部と第二接合部からなる木造建物用接合材を特徴とするものである。
【００１１】
この請求項１記載の発明における木製の板材とは、壁の厚み又は壁の枠組材の幅より広い幅を有する木製の板材のことであって、木板は勿論のこと、合板やパーチクルボードや集成材のような木質系の板材を含むものである。
更に、枠組壁工法で建てられた建物の壁は、通常、枠組材（例えば、２×４や２×６）を枠状に組み立てて、この表面に壁面材を取り付けたものであるので、請求項１記載の木製の板材としては、この建物の壁に使用する枠組材の幅又は壁の枠組材に壁面材を取り付けた壁の厚みより広い幅を有する枠組材（例えば、２×１０や２×１２）等であってもよい。
【００１２】
耐力壁や壁パネル等の壁の交点以外の場所に、特許文献２に記載されているような直線状の壁に頭つなぎがある場合には、この木造建物用接合材の厚みを頭つなぎと略同じにすると木造建物用接合材の上面と頭つなぎの上面とが略面一になるので好ましい。
又、この請求項１記載の発明における第一接合部と第二接合部とは相対的なものであって、２方向に伸びる一方を第一接合部とすると、他方が第二接合部となる。尚、建物の壁は略直角に接合することが多いので、この第一接合部に対して第二接合部が略直角方向に伸びたものが好ましい。例えば、第一接合部の一端から第二接合部が略直角に伸びているＬ字形であってもよいし、第一接合部の略中央から第二接合部が略直角に伸びているＴ字形や＋字形であってもよい。
【００１３】
この請求項１記載の木造建物用接合材は、非特許文献１に示されている耐力壁の交点にある縦方向の耐力壁の上端面と横方向の耐力壁の上端面とに差し渡して取り付けて、この木造建物用接合材で両者を強固に接合するのに使用してもよいし、特許文献２に記載されているような壁パネルの交点にある第一の方向の壁パネルの上端面と第二の方向の壁パネルの上端面とに差し渡して取り付けて、この木造建物用接合材で両者を強固に接合するのに使用してもよい。
【００１４】
請求項２記載の発明は、請求項１記載の発明に係り、前記第一接合部と第二接合部で形成される角部の縁が滑らかな曲線になされているものである。
【００１５】
請求項３記載の発明は、枠組壁工法で建てられた木造建物における壁の接合構造であって、請求項１又は２記載の木造建物用接合材が、第一接合部と第二接合部をそれぞれ第一の方向の壁の上端面と、この第一の方向の壁に交差する位置にある第二の方向の壁の上端面とに載置させた状態に、取り付けられて、この木造建物用接合材で第一の方向の壁と第二の方向の壁が接合されている壁の接合構造を特徴とするものである。
【００１６】
この請求項３記載の発明における枠組壁工法で建てられた木造建物は、施工現場で組み立てる建物であってもよいし、特許文献２に記載されている壁パネルを予め製造し、この壁パネルを取り付ける建物であってもよいし、工場で建物ユニットに組み立てて、この建物ユニットの複数個を施工現場で組み立てるユニット建物であってもよい。
又、この請求項３記載の発明における第一の方向の壁と第二の方向の壁とは、相対的なものであって、交差する位置に立設されている壁の一方を第一の方向の壁とすると、他方が第二の方向の壁である。
【００１７】
そして、この第二の方向の壁の上端面と第一の方向の壁の上端面に木造建築用接合材が載置され取り付けられているが、この取付方法は適宜手段で取り付ければよい。例えば、釘やネールプレートやビス等の接合具で強固に取り付けてもよいし、接着剤等で接着してもよい。
【００１８】
（作用）
請求項１記載の発明では、木製の板材から切り出された継ぎ目のない２方向に伸びる第一接合部と第二接合部からなるので、この第一接合部と第二接合部とは、継ぎ目のない一体構造となっていて、両者は極めて強固に連結されている。
従って、この木造建築用接合材の第一接合部を縦方向の耐力壁や壁パネル等の壁の上端面に、又、第二接合部を横方向の耐力壁や壁パネル等の壁の上端面に載置させて取り付けることにより、第一の方向の壁と第二の方向の壁を極めて強固に接合させることができるし、施工も簡単である。
【００１９】
そして、この第一接合部と第二接合部は、枠組壁工法で建てられた木造建物の壁の厚み又は壁の枠組材の幅より大きな幅を有する木製の板材から切り出された壁の厚み又は壁の枠組材の幅と略同じ幅を有するので、この縦部材と第二接合部を壁の上端面に取り付けても、この第一接合部と第二接合部は壁の厚み方向に突出することがなく、美麗に取り付けることができる。
【００２０】
請求項２記載の発明では、前記第一接合部と第二接合部で形成される角部の縁が滑らかな曲線になされているので、壁に人が凭れる等で、第一の方向の壁や第二の方向の壁に、この第一の方向の壁と第二の方向の壁で形成される角の角度を変えるような強い力が加わっても、第一接合部と横部材で形成される角部にひび割れが発生しないし、角部が破壊しない。
【００２１】
即ち、第一接合部と横部材で形成される角部の縁が一方から他方に折曲した状態に尖っていると、第一の方向の壁パネルや第二の方向の壁パネルに角部の角度を変えようとする強い力が加わったときに、この尖った部分に応力が集中して、この部分にひびが入ったり、この部分が破壊することがあるが、請求項２記載の発明では、この角部の縁が滑らかな曲線となされているので、このような応力が集中せず、角部にひび割れが発生し難いし角部が破壊し難い。
【００２２】
請求項３記載の発明では、枠組壁工法で建てられた木造建物における壁の接合構造であって、請求項１又は２記載の木造建物用接合材が、第一接合部と第二接合部をそれぞれ第一の方向の壁の上端面と、この第一の方向の壁に交差する位置にある第二の方向の壁の上端面とに載置させた状態に、取り付けられて、この木造建物用接合材で第一の方向の壁と第二の方向の壁が接合されているので、第一の方向の壁と第二の方向の壁が、機械的強度の大きな木造建物用接合材で接合され、人が凭れたりしても、壁が倒れる方向に移動しない。
【００２３】
又、この壁の接合構造にするには、請求項１又は２記載の木造建物用接合材を第一の方向の壁の上端面と第二の方向の壁の上端面とに載置し、この木造建物用接合材を壁に取り付ければよく、極めて施工し易い。
特に、壁が壁パネルである場合には、予め製造されている壁パネルを床の上に立設し、この壁パネルの上端面に木造建物用接合材を取り付けるだけで強固に取り付けることができ、施工し易い。
【００２４】
【発明の実施の形態】
次に、本発明の実施の形態を実施例で説明する。
図１〜図５は本発明をユニット建物に適用した一実施例を示すもので、図１は建物の斜視図、図２は間仕切り壁パネルを備えた建物ユニットの一部切欠斜視図、図３は図２のＡ部分の接合状態を一部切欠斜視図、図４（イ）はＬ字形の木造建物用接合材の斜視図、（ロ）は（イ）の平面図、図５（イ）はＴ字形の木造建物用接合材の斜視図、（ロ）は（イ）の平面図である。
【００２５】
図１〜図５において、Ｕは枠組壁工法で建てられた建物であり、この建物Ｕは、図１に示すように、基礎１の上に、９個の建物ユニット２が据え付けられて１階が形成され、この１階の建物ユニット２の上に９個の建物ユニット２が据え付けられて２階が形成され、この２階の建物ユニット２の上に屋根ユニット３が取り付けられて屋根が形成されたものである。
【００２６】
この建物Ｕを構成する建物ユニット２は、床パネルに外壁パネルや内壁パネルや間仕切り壁パネル等の壁パネルが立設されたものであって、部屋や台所や廊下というように据え付ける場所によって床パネルの大きさや壁パネルの大きさや構造の異なる種々な建物ユニット２がある。
【００２７】
そこで、間仕切り壁パネルを備えた建物ユニット２を例に挙げて建物ユニット２を説明する。
この間仕切り壁パネルを備えた建物ユニット２は、図２と図３に示すように、矩形状の床パネル３と、この床パネル３に立設された内壁パネル４や間仕切り壁パネル５と、この内壁パネル４や間仕切り壁パネル５の上端面に取り付けられた頭つなぎ６や木造建物用接合材７からなる。
【００２８】
床パネル３は、図２に示すように、木製の枠組材を矩形状に組み立てた枠３１と、この枠３１の中に設けられた枠組材である桟材３２と、この枠３１と桟材３２の片面に設けられた床面材３３とからなる。
【００２９】
内壁パネル４は、厚みが略３８ｍｍ、幅が略１４０ｍｍの木製の枠組材（２×６）を矩形状に組み立てた枠４１と、この上下の枠４１に差し渡された同じ枠組材（２×６）である桟材４２と、この枠４１と桟材４２の両面又は片面に取り付けられた壁面材４３とからなる。
従って、内壁パネル４の厚みは枠組材４１の幅と両面又は片面に取り付けられた壁面材４３の厚みの合計となる。
【００３０】
間仕切り壁パネル５は、内壁パネル４と略同じ構造をしていて、木製の枠組材（２×６）を矩形状に組み立てた枠５１と、この上下の枠５１に差し渡された枠組材（２×６）である桟材５２と、この枠５１と桟材５２の両面又は片面に取り付けられた壁面材５３とからなる。
従って、間仕切りパネル５の厚みは枠組材５１の幅と両面又は片面に取り付けられた壁面材５３の厚みの合計となる。
【００３１】
頭つなぎ６は、内壁パネル４や間仕切り壁パネル５に使用する枠組材と略同じ厚みが略３８ｍｍ、幅が略１４０ｍｍの長尺の木製の枠組材（２×６）であり、内壁パネル４や間仕切りパネル５の上端面に取り付けて、複数の内壁パネル４や間仕切りパネル５を接合するものである。
【００３２】
この実施例に使用する木造建物用接合材７には、Ｌ字形の木造建物用接合材７−１とＴ字形の木造建物用接合材７−２の２種類ある。
Ｌ字形の木造建物用接合材７−１は、図４に示すように、厚みが略３８ｍｍ、幅が略２８６ｍｍの木製の枠組材（２×１２）を、Ｌ字形の頭つなぎと略同じ断面（厚みが略３８ｍｍ、幅が略１４０ｍｍ）を有する第一接合部７１と第二接合部７２に切り出されたものであり、この縦部材７１と第二接合部７２とで形成される角部の縁は滑らかな曲線状になっている。
【００３３】
Ｔ字形の木造建物用接合材７−２は、図５に示すように、厚みが略３８ｍｍ、幅が略２８６ｍｍの木製の枠組材（２×１２）を、Ｔ字形の頭つなぎと略同じ断面（厚みが略３８ｍｍ、幅が略１４０ｍｍ）を有する第一接合部７１と第二接合部７２に切り出されたものであり、この縦部材７１と第二接合部７２とで形成される角部の縁は滑らかな曲線状になっている。
【００３４】
そして、建物ユニット２は、床パネル３の短辺に２個の内壁パネル４が立設され、長辺に３枚の内壁パネル４が立設され、この長辺の内壁パネル４の接合部分にこの内壁パネル４に略直角方向の位置に間仕切り壁パネル５が立設されたものである。
【００３５】
そして、この内壁パネル４と間仕切り壁パネル５の直線部分には、この内壁パネル４の上端面に頭つなぎ６が取り付けられて、この頭つなぎ６で内壁パネル４や間仕切りパネル４が接合され、コーナー部には、頭つなぎ６の替わりに、Ｌ字形の木造建物用接合材７−１が取り付けられて、この木造建物接合材７−１で内壁パネルが接合され、内壁パネル４と間仕切り壁パネル５の交点の上端面には、図３に示すように、Ｔ字形の木造建物用接合材７−２が取り付けられて、この木造建物用接合材７−２で内壁パネル４と間仕切り壁パネル５が接合されている。
屋根ユニット３は従来と略同じであるので説明を省略する。
【００３６】
次に、このユニット建物Ｕの施工方法及び作用について説明する。
工場で、床パネル３や外壁パネルや内壁パネル４や間仕切り壁パネル５を製造し、この床パネルに外壁パネルや内壁パネル４や間仕切り壁パネル５等の壁パネルを立設する。
そして、この壁パネルの上端面に頭つなぎ６や木造建物用接合材７を取り付けて、この木造建物用接合材７で外壁パネル、内壁パネル、間仕切りパネル等の壁パネルを接合して、建物ユニット２を製造する。
【００３７】
この際の間仕切り壁パネル５を備えた建物ユニット２の製造方法を説明すると、図２と図３に示すように、床パネル３の短辺に２枚の内壁パネル４を、又、長辺に３枚の内壁パネル４をそれぞれ立設し、この長辺に立設された内壁パネル４の繋ぎ部分から、この内壁パネル４に略直角方向に間仕切り壁パネル５を立設する。
そして、この内壁パネル４と間仕切り壁パネル５や直線部分の上端面に頭つなぎ６を取り付けたり、コーナー部に、Ｌ字形の木造建物用接合材７−１を取り付けたり、内壁パネル４と間仕切り壁パネル５の交点の上端面に、図３に示すように、Ｔ字形の木造建物用接合材７−２を取り付けて、この頭つなぎ６と木造建物用接合材７で、内壁パネル４と間仕切り壁パネル５を接合すると間仕切り壁パネル５を備えた建物ユニット２が完成する。
【００３８】
このように、第一の方向の壁パネルである内壁パネル４の上端面と、この内壁パネル４に略直角方向に位置する第二の方向の壁パネルである間仕切り壁パネル５の上端面に、木造建物用接合材７−２の第一接合部７１と第二接合部７２をそれぞれ、載置し、この木造建物用接合材７−２を内壁パネル４と間仕切り壁パネル５に取り付けるだけでこれ等の壁パネル４、５を強固に接合することができるので、極めて施工し易い。
【００３９】
又、この木造建物用接合材７の第一接合部７１と第二接合部７２の幅は、壁の枠組材４１、５１の幅と略同じであるので、この縦部材７１と第二接合部７２を壁の上端面に取り付けても、この第一接合部７１と第二接合部７２が壁の厚み方向に突出することがなく、美麗に取り付けることができる。
尚、壁面材４３、５３は、頭つなぎ６や木造建物用接合材７を取り付けた後に、壁の枠組材４１から頭つなぎ６や木造建物用接合材７の側面を覆うようにして取り付けてもよい。
又、屋根ユニット３を製造する。
【００４０】
このようにして製造して建物ユニット２や屋根ユニット３を施工現場に運搬する。
施工現場では、予め設けられている基礎１の上に、９個の建物ユニット２を据え付けて１階を形成し、この１階の建物ユニット２の上に９個の建物ユニット２を据え付けて２階を形成し、この２階の建物ユニット２の上に屋根ユニット３を取り付けて屋根を形成したり、種々な仕上げを行うと、ユニット建物Ｕが完成する。
【００４１】
このようにして製造したユニット建物Ｕでは、木造建物用接合材７が木製の板材から切り出された継ぎ目のない２方向に伸びる第一接合部７１と第二接合部７２からなり、第一接合部７１と第二接合部７２が極めて強固に連結されているので、この木造建物用接合材７で接合された略直角に取り付けられている内壁パネル４や間仕切り壁パネル５とが強固に接合され、人が凭れる等して内壁パネル４や間仕切りパネルに力が加わっても、この木造建物用接合材５で内壁パネル４と間仕切り壁パネル５が倒れる方向に動かない。
【００４２】
更に、この木造建物用接合材７の第一接合部７１と第二接合部７２で形成される角部の縁が滑らかな曲線になされているので、この内壁パネル４や間仕切り壁パネル５に人が凭れたりして、内壁パネル４や間仕切りパネル５に、この角の角度を変化させる力が加わっても、第一接合部７１と横部材７２の角部に応力が集中せず、従って、木造建物用接合材７の角部にひび割れが発生し難いし、角部が破壊され難い。
【００４３】
【発明の効果】
請求項１記載の発明は、枠組壁工法で建てられた木造建物の壁の厚み又は壁の枠組材の幅より大きな幅を有する木製の板材から切り出された継ぎ目のない２方向に伸びる壁の厚み又は壁の枠組材の幅と略同じ幅を有する第一接合部と第二接合部からなるから、この第一接合部と第二接合部とは、継ぎ目のない極めて強固に連結されている一体構造となっている。従って、第一接合部を立設された第一の方向の壁の上端面に、又、第二接合部を立設された第二の方向の壁の上端面に載置し取り付けると、第一の方向の壁と第二の方向の壁を極めて強固に接合することができるし、この第一の方向の壁と第二の方向の壁を接合する施工も簡単であるし、縦部材と第二接合部を壁の上端面に取り付けても、この第一接合部と第二接合部が壁の厚み方向に突出することがなく、美麗である。
【００４４】
請求項２記載の発明は、前記第一接合部と第二接合部で形成される角部の縁が滑らかな曲線になされているから、人が凭れる等で、第一の方向の壁パネルや第二の方向の壁パネルに、角部の角度を変えるような強い力が加わっても、この角部に応力が集中せず、角部にひび割れが発生し難いし、角部が破壊され難い。
【００４５】
請求項３記載の発明は、枠組壁工法で建てられた木造建物における壁の接合構造であって、請求項１又は２記載の木造建物用接合材が、第一接合部と第二接合部をそれぞれ第一の方向の壁の上端面と、この第一の方向の壁に交差する位置にある第二の方向の壁の上端面とに載置させた状態に、取り付けられて、この木造建物用接合材で第一の方向の壁と第二の方向の壁が接合されているから、第一の方向の壁と第二の方向の壁が、機械的強度の大きな木造建物用接合材で接合されていて、人が凭れたりしても、壁が倒れる方向に移動しないし、この壁の接合構造にする施工は、請求項１又は２記載の木造建物用接合材を第一の方向の壁の上端面と第二の方向の壁の上端面とに載置し、この木造建物用接合材を壁に取り付ければよく、極めて施工し易い。
【図面の簡単な説明】
【図１】本発明をユニット建物に適用した一実施例を示すもので、建物の斜視図である。
【図２】間仕切り壁パネルを備えた建物ユニットの一部切欠斜視図である。
【図３】図２のＡ部分の接合状態を示す一部切欠斜視図である。
【図４】（イ）はＬ字形の木造建物用接合材の斜視図、（ロ）は（イ）の平面図である。
【図５】（イ）はＴ字形の木造建物用接合材の斜視図、（ロ）は（イ）の平面図である。
【図６】従来の耐力壁の接続部分を示すもので、（イ）はＬ字形に接合している部分の斜視図、（ロ）はＴ字形に接合している部分の斜視図である。
【符号の説明】
Ｕ　　　　　　　　建物
１　　　　　　　　基礎
２　　　　　　　　建物ユニット
４　　　　　　　　壁パネル（内壁パネル）
５　　　　　　　　壁パネル（間仕切り壁パネル）
６　　　　　　　　頭つなぎ
７　　　　　　　　木造建物用接合材
７−１　　　　　　Ｌ字形の木造建物用接合材
７−２　　　　　　Ｔ字形の木造建物用接合材
７１　　　　　　　第一接合部
７２　　　　　　　第二接合部
【図１】
2004137799.tif 000003
【図２】
2004137799.tif 000004
【図３】
2004137799.tif 000005
【図４】
2004137799.tif 000006
【図５】
2004137799.tif 000007
【図６】
2004137799.tif 000008